Podtech/llm-jp-corpus-v4-ja_patent huggingface dataset:
(57)【要約】      （修正有）【課題】電池交換するとき、腕時計からバンドを取り外さなくても容易に腕時計の裏ブタを外して電池交換することができ、また、バンド部を回転させることによって、裏のムーブメントを容易に見ることができ、さらに、腕時計を安定して置くことができる腕時計のバンド提供する。【解決手段】腕時計取り付け基部１４とバンド部１５に穴を設け、設けた穴に軸を通し、軸の両端に外れ防止部１８，１９，２３を設け、腕時計取り付け基部とバンド部が軸により自在に動くようにした。【選択図】図８
0003185538.tif 000002
【実用新案登録請求の範囲】
【請求項１】
腕時計取付け基部とバンド部に穴を設け、設けた穴に軸を通し、軸の両端に外れ防止部を設け、腕時計取付け基部とバンド部が軸により自在に動くようにした腕時計のバンド。
【考案の詳細な説明】
【技術分野】
【０００１】  本考案は、腕時計のバンドに関するものである。
【背景技術】
【０００２】  従来、回転軸を設けた腕時計のバンドはなかった。
【考案の開示】
【考案が解決しようとする課題】
【０００３】  従来は次のような欠点があった。
従来の腕時計のバンドは、剣先と親からなる樹脂製バンドなどや伸縮構造の金属製バンドや三つ折りのクラスプの金属製バンドなどになると腕時計の電池交換するとき、バンドが邪魔をして腕時計からバンドを外してからでないと裏ブタを外しにくく、電池交換をすることがしにくく不便であった。
また、裏が透明のムーブメントが見える腕時計では伸縮構造の金属製バンドや三つ折りのクラスプの金属製バンドなどでは、バンドが邪魔をして裏のムーブメントが見にくかった。
また、樹脂製バンドでは腕から外すと横にしか置くことができなかった。
本考案は、上記の欠点を除くためになされたものである。
【課題を解決するための手段】
【０００４】  腕時計取り付け基部とバンド部に穴を設け、設けた穴に軸を通し、軸の両端に外れ防止部を設け、腕時計取り付け基部とバンド部が軸により自在に動くようにした。
本考案は、以上のような構成により問題点を解決している。
【考案の効果】
【０００５】  バンド部が軸により自在に動くので、電池交換するとき、腕時計からバンドを取り外さなくても軸によりバンド部を回転させると、バンドが邪魔にならず容易に腕時計の裏ブタを外すことができ、電池交換することができる。
裏が透明のムーブメントが見える腕時計も軸によりバンド部を回転させ、９０度に曲げると裏のムーブメントを容易に見ることができる。
軸によりバンド部を回転させ、９０度に曲げると腕時計を安定して置くことができ、時間を見ることができる。
【考案を実施するための最良の形態】
【０００６】  腕時計取り付け基部とバンド部に穴を設け、設けた穴に軸を通し、軸の両端に外れ防止部を設け、腕時計取り付け基部とバンド部が軸により自在に動くようにした。
【実施例】
【０００７】  以下、本考案の実施例について説明する。
腕時計取り付け基部１とバンド部２に穴３を設ける。
設けた穴３に軸４を通し、軸４の両端に外れ防止部５、外れ防止部６を設け、腕時計取り付け基部１とバンド部２が軸４により自在に動くようにする。
腕時計取り付け基部７とバンド部８に穴９を設ける。
設けた穴９に軸１０を通し、軸１０の両端に外れ防止部１１、外れ防止部１２を設け、腕時計取り付け基部７とバンド部８が軸１０により自在に動くようにする。
腕時計取り付け基部１４とバンド部１５に穴１６を設ける。
設けた穴１６に軸１７を通し、軸１７の両端に外れ防止部１８、外れ防止部１９を設け、腕時計取り付け基部１４とバンド部１５が軸１７により自在に動くようにする。
腕時計取り付け基部２０とバンド部１５に穴２１を設ける。
設けた穴２１に軸２２を通し、軸２２の両端に外れ防止部２３、外れ防止部２４を設け、腕時計取り付け基部２０とバンド部１５が軸２２により自在に動くようにする。
腕時計取り付け基部１、７は腕時計１３に取り付けるためのものである。
腕時計取り付け基部１４、２０は腕時計２５に取り付けるためのものである。
バンド部２、８、１５はバンドである。
穴３、９、１６、２１は穴である。
軸４、１０、１７、２２は軸である。
外れ防止部５、６、１１、１２、１８、１９、２３、２４は軸が腕時計取り付け基部とバンド部に設けた穴から外れないようにするためのものである。
材質、形状、軸の位置、軸の数、大きさをいろいろにすることにより、多種多様にすることができる。
【図面の簡単な説明】
【０００８】
【図１】本考案の斜視図である。
【図２】本考案の側面の断面図である。
【図３】本考案の曲げた状態の平面図である。
【図４】本考案の斜視図である。
【図５】本考案の曲げた状態の斜視図である。
【図６】本考案の斜視図である。
【図７】本考案の側面の断面図である。
【図８】本考案の曲げた状態の斜視図である。各図の各部において主要部以外は省略している。各図の各部において波線以外の部分は省略している。
【符号の説明】
【０００９】  １    腕時計取り付け基部
２    バンド部
３    穴
４    軸
５    外れ防止部
６    外れ防止部
７    腕時計取り付け基部
８    バンド部
９    穴
１０    軸
１１    外れ防止部
１２    外れ防止部
１３    腕時計
１４    腕時計取り付け基部
１５    バンド部
１６    穴
１７    軸
１８    外れ防止部
１９    外れ防止部
２０    腕時計取り付け基部
２１    穴
２２    軸
２３    外れ防止部
２４    外れ防止部
２５    腕時計
【図１】
0003185538.tif 000003
【図２】
0003185538.tif 000004
【図３】
0003185538.tif 000005
【図４】
0003185538.tif 000006
【図５】
0003185538.tif 000007
【図６】
0003185538.tif 000008
【図７】
0003185538.tif 000009
【図８】
0003185538.tif 000010
(57)【要約】      （修正有）【課題】十分に肌の形状に応じた変形を可能にし、また、肌や衣服に貼り付けた後も、はがれにくくするゴムマット治療器を提供する。【解決手段】板状のゴムマット治療器１であって、ゲルマニウムパウダーと、ブラックシリカパウダーと、トルマリンパウダーと、遠赤外線パウダーと、抗菌パウダーと、マイナスイオンパウダーとを合計３５〜４５重量％含有する。厚さが１．２ｍｍ以下であり、平面視の形状に角が無い。【選択図】図１
0003185537.tif 000002
【実用新案登録請求の範囲】
【請求項１】
板状のゴムマット治療器であって、
ゲルマニウムパウダーと、ブラックシリカパウダーと、トルマリンパウダーと、遠赤外線パウダーと、抗菌パウダーと、マイナスイオンパウダーとを合計３５〜４５重量％含有し、
厚さが１．２ｍｍ以下であり、
平面視の形状に角が無い
ことを特徴とするゴムマット治療器。
【考案の詳細な説明】
【技術分野】
【０００１】  本考案は、シリコンゴムに天然鉱石等を混合してなるゴムマット治療器に関するものである。
【背景技術】
【０００２】  従来から、皮膚に直接に貼り付け、あるいは、下着や衣類の上に貼りつけることによって、遠赤外線等の効果によって健康を促進するゴムマットが利用されていた。
【先行技術文献】
【特許文献】
【０００３】
【特許文献１】登録実用新案公報第３０６０２８１号
【考案の概要】
【考案が解決しようとする課題】
【０００４】  ところが、従来のゴムマット治療器では、厚さが２ｍｍなど、厚かったので、肌の形状に応じた変形が不十分であり、また、肌や衣服に貼り付けた後も、はがれ易いという問題点があった。【０００５】  本考案は、以上の課題を解決するためになされたもので、厚さを１．２ｍｍ以下にすることで、十分に肌の形状に応じた変形を可能にし、また、肌や衣服に貼り付けた後も、はがれにくくすることを目的とする。
【課題を解決するための手段】
【０００６】  上記課題を解決するために、請求項１記載の考案は、板状のゴムマット治療器であって、ゲルマニウムパウダーと、ブラックシリカパウダーと、トルマリンパウダーと、遠赤外線パウダーと、抗菌パウダーと、マイナスイオンパウダーとを合計３５〜４５重量％含有し、厚さが１．２ｍｍ以下であり、平面視の形状に角が無いことを特徴とするゴムマット治療器としたものである。【０００７】  すなわち、本考案では、ゴムマット治療器の厚さを、１．２ｍｍ以下等、従来よりも大幅に薄くした。
これにより、ゴムマット治療器は、従来と比較して、十分に肌の形状に応じた変形をすることができるため、肌や衣服に貼りつけることが容易となり、また、肌や衣服に貼り付けた後も、はがれにくい。
【考案の効果】
【０００８】  上述の本考案は、従来よりも大幅に薄いため、十分に肌の形状に応じた変形をすることができる。
そのため、肌や衣服に貼りつけることが容易となった。
さらに、本考案では、肌や衣服に貼り付けた後も、はがれにくいという効果も有する。【０００９】  また、上述の考案は、６種類の天然鉱石等の粉末を含有している。そのため、遠赤外線の作用等により、健康維持に優れた効果を有する。【００１０】  また、上述の考案は、平面視において、その形状に、角がなく、直線または曲線によって構成されている。
仮に角があると、その部分からはがれやすくなってしまうが、本考案では、角がないので、はがれにくいという効果も有する。
【図面の簡単な説明】
【００１１】
【図１】本考案実施例のゴムマットの平面図である。
【図２】本考案実施例のゴムマットの正面図である。
【図３】本考案実施例のゴムマットの側面図である。
【考案を実施するための形態】
【００１２】  以下、添付図面に基づいて本考案のゴムマット治療器の実施形態を説明する。
【００１３】  図１は、本考案実施例のゴムマットの平面図である。
平面視において、本実施例では、長辺が７ｃｍ、短辺が５ｃｍである。
また、図１の平面視においては、ゴムマット治療器の角が無く、丸みを帯びた形状となっている。
これにより、角がある場合にその箇所からはがれてしまうということを、防止することができる。
【００１４】  本実施例では、ゴムマット治療器には、ゲルマニウムパウダーと、ブラックシリカパウダーと、トルマリンパウダーと、遠赤外線パウダーと、抗菌パウダーと、マイナスイオンパウダーという、６種類の粉末が混合されている。
なお、当該粉末の合計の含有量は、３５〜４５重量％である。
【００１５】  本実施例に用いられるゲルマニウムパウダーは、ゲルマニウム鉱石をパウダー状にしたもので、遠赤外線を放射する。
【００１６】  本実施例に用いられるブラックシリカパウダーは、黒鉛珪石とも呼ばれるものの粉末で、遠赤外線を放射する。
【００１７】  本実施例に用いられるトルマリンパウダーは、微弱電流発生効果を持つ。
【００１８】  本実施例に用いられる遠赤外線パウダーは、金属酸化物を原料に使用しており、高い遠赤外線を放射する。
【００１９】  本実施例に用いられる抗菌パウダーは、カルシウム系の抗菌パウダーで、高アルカリでの除菌・抗菌作用がある。
【００２０】  本実施例に用いられるマイナスイオンパウダーは、微弱放射線を発生し、そこからマイナスイオンを生じさせる。
【００２１】  図２は、本考案実施例のゴムマットの正面図であり、図３は、側面図である。
厚さＴは、１ｍｍである。ただし、図の寸法は、正確ではない。
本実施例では、厚さが１ｍｍで、従来の半分の薄さなので、曲面からなる人体の肌の形状に応じて十分に変形をすることができるため、肌や衣服に貼りつけることが容易となり、また、肌や衣服に貼り付けた後も、はがれにくい。
また、ゴムの素材としては、柔らかくて軽いシリコンゴムが用いられているので、この点からも、体に貼りつけやすい。
【符号の説明】
【００２２】１  ゴムマット治療器
２  曲線部
Ｔ  厚さ
【図１】
0003185537.tif 000003
【図２】
0003185537.tif 000004
【図３】
0003185537.tif 000005
(57)【要約】      （修正有）【課題】フライト終端部の切上げ形状を、スクリュの長軸方向に直交する断面図において、凹みを無くした成形機用スクリュを提供する。【解決手段】スクリュは、フライト終端部における切上げ開始位置からフライト終端位置に至る切上げ部において、隣接するフライトの溝幅は一定で、かつ軸方向に垂直な断面形状が、フライト終端位置と谷部の曲面を接線で結んだ線分か、それよりも緩やかで外に凸な曲線となることを特徴とする成形機用スクリュである。フライト終端位置ＦＥと谷部の曲面を結ぶ接線の接点をＣＳ０とすると、切上げ開始位置はＣＳ０か（ｂ）、それよりフライト終端位置ＦＥから遠い位置ＣＳであり（（ｃ），（ｄ））、ＦＥとＣＳの間は外に凸の曲線で結ばれている。【選択図】図２
0003185597.tif 000002
【実用新案登録請求の範囲】
【請求項１】
フライト終端部における切上げ開始位置からフライト終端位置に至る切上げ部において、溝幅は一定で、かつ軸方向に垂直な断面形状が、フライト終端位置と谷部の曲面を接線で結んだ線分か、それよりも緩やかで外に凸な曲線となることを特徴とする成形機用スクリュ。
【請求項２】
軸方向に垂直な断面において、スクリュ回転中心を頂点とした際のフライト終端位置と切上げ開始位置の成す角度が、５４０度以下であることを特徴とする請求項１に記載の成形機用スクリュ。
【考案の詳細な説明】
【技術分野】
【０００１】
本考案は、成形機用のスクリュに関する。
【背景技術】
【０００２】
プラスチックや金属粉末、セラミック粉末等の成形機のスクリュには、らせん状のフライトとその間の谷部が設けられている。スクリュは、シリンダ内で回転及び進退することにより、材料を溶融や攪拌しながら、スクリュの前方方向に送ることが出来る構造となっている。特許文献１では、フライト側面と谷底面の間の丸みを先端側より基部側の方を大きくすることで、材料の搬送能力安定化を図っている。
【先行技術文献】
【特許文献】
【０００３】
【特許文献１】特開平１１−３２０６３２号公報
【考案の概要】
【考案が解決しようとする課題】
【０００４】
スクリュには、回転や進退といった動作を伝えるための支持部が基部には必要となり、らせん状のフライトを終端させる必要があるが、特許文献１には、この部分については記述されていない。
【０００５】
図１は従来技術を説明する図である。シリンダ１に挿入されたスクリュ２のスクリュ基部では、主に谷部３がフライト４のフライト外径１０に近づくよう浅くなり、フライト４が終端する。シリンダ１に材料投入口７から投入された樹脂は、シリンダ１内で溶融、混練され、計量され、ノズル８から図示しない金型のキャビティに射出される。なお以降、フライト終端部５において谷部が浅くなり、フライト外径に近づくことを「切上がる」と表現し、浅くなり始める位置を「切上げ開始位置」、切上げ開始位置からフライト終端位置までの範囲を「切上げ部」とする。
【０００６】
この切上げ部の形状としては、フライト終端部５の間近まで谷部３が続き、そこから急峻に切上がる形状があるが（図１の切上げ部６の破線で囲まれる個所を参照）、Ｒ（曲率）や面取り形状で切り上げる場合、そのＲ（曲率）や面取り部は、それより小さいＲ（曲率）や面取り形状を有する加工工具で無ければ削れない上、フライト終端部５の位置が同じなら、切上げ形状が急峻になる程削る量は増え、加工時間もかかってしまう。
【０００７】
そこで、本考案の目的は、フライト終端部の切上げ形状を、スクリュの長軸方向に直交する断面図において、凹みを無くした成形機用スクリュを提供することである。
【課題を解決するための手段】
【０００８】
本願の請求項１に係る考案は、フライト終端部における切上げ開始位置からフライト終端位置に至る切上げ部において、溝幅は一定で、かつ軸方向に垂直な断面形状が、フライト終端位置と谷部の曲面を接線で結んだ線分か、それよりも緩やかで外に凸な曲線となることを特徴とする成形機用スクリュである。  
請求項２に係る考案は、軸方向に垂直な断面において、スクリュ回転中心を頂点とした際のフライト終端位置と切上げ開始位置の成す角度が、５４０度以下であることを特徴とする請求項１に記載の成形機用スクリュである。
【考案の効果】
【０００９】
本考案により、フライト終端部の切上げ形状を、スクリュの長軸方向に直交する断面図において、凹みを無くした成形機用スクリュを提供できる。
【図面の簡単な説明】
【００１０】
【図１】従来技術を説明する図である。
【図２】本考案に係わる成形機用スクリュの実施形態の概略断面図である。
【図３】請求項２に記載の切上げ開始位置とフライト終端位置との成す角度を示した図である。
【考案を実施するための形態】
【００１１】
以下、本考案の実施形態を図面と共に説明する。なお、スクリュ２の概略の構成は図１を用いて説明したとおりであるので、ここでは、説明を略する。
【００１２】
本考案では、フライト終端部の切上げ形状を、スクリュの回転軸方向から見た断面図において、凹みの無い形状にすれば、加工工具の角部形状の制約は少なくなり、また凹みが無くなった分だけ加工時間が短縮される。断面図において凹みの無い切上げ形状とは、具体的には、フライト終端位置と谷部の曲面を接線で結んだ直線か、それよりも緩やかな曲線で切上げる形状となる。
【００１３】
図２は、本考案に係わる成形機用スクリュの実施形態の概略断面図である。
【００１４】
本考案のスクリュ２は、フライト終端部における切上げ開始位置（ＣＳ０，ＣＳ）からフライト終端位置（ＦＥ）に至る切上げ部において、隣接するフライト４の溝幅は一定で、かつ軸方向に垂直な断面形状が、フライト終端位置と谷部の曲面を接線で結んだ線分か、それよりも緩やかで外に凸な曲線となることを特徴とする成形機用スクリュである。
【００１５】
フライト終端位置ＦＥと谷部３の曲面を結ぶ接線の接点をＣＳ０とすると、切上げ開始位置はＣＳ０か、それよりＦＥから遠い位置ＣＳであり、ＦＥとＣＳの間は外に凸の曲線で結ばれている。図２（ａ）は仕上げ開始位置がＣＳ２０の場合、図２（ｂ）は仕上げ開始位置がＣＳの場合、図２（ｃ）は図２（ｂ）に比較して９０°遡った位置が仕上げ開始位置ＣＳの場合、図２（ｄ）は仕上げ開始位置ＣＳがフライト終端位置ＦＥから１周前の場合である。
【００１６】
一方で、緩やかに切り上げすぎると、材料が充填されるべきスクリュフライト間の谷部が、スクリュ基部付近において浅い領域が長く続き、材料を送るというスクリュ本来の機能が損なわれてしまう。そこで、断面図において、フライト終端位置と切上げ開始位置の成す切り上げ部の角度は５４０度までの範囲とする。
【００１７】
図３は、請求項２に記載の切上げ開始位置とフライト終端位置との成す角度を示した図である。スクリュ回転軸中心Ｓ０を頂点としてフライト終端位置ＦＥと切上げ開始位置ＣＳの成す切り上げ部の角度θは、接点ＣＳ０とフライト終端位置ＦＥの成す角度θｍｉｎから５４０度の間である。
【符号の説明】
【００１８】
１  シリンダ
２  スクリュ
３  谷部
４  フライト
５  フライト終端部
６  切上げ部
７  材料投入口
８  ノズル
９  中心軸
１０  フライト外径
【図１】
0003185597.tif 000003
【図２】
0003185597.tif 000004
【図３】
0003185597.tif 000005
(57)【要約】      （修正有）【課題】目の不自由な人も、高齢者の人も簡単に剥がすことができる縁色付食品透明包装ラップを提供する。【解決手段】食品透明包装ラップの端に、細く色を付ける。色は限定しないが、見えやすい色とする。【選択図】図１
0003185502.tif 000002
【実用新案登録請求の範囲】
【請求項１】
縁色付食品透明包装ラップ
【考案の詳細な説明】
【背景技術】食品透明包装ラップ（以下ラップと言う）縁に色をつける
【考案の概要】
昨年妻が他界し家事をすることになり私自身、眼と網膜が弱いためラップで包装した物を剥がすとき、わかりずらいので思いつきました。
【考案が解決しようとする課題】ラップを剥がすとき、簡単に終わりの部分がわかる。
【課題を解決するための手段】ラップの端に少し色を付ける。
【考案の効果】眼の不自由な人も、高齢者の人も、簡単に剥がせる。
【考案を実施するための形態】
ラップの端に少し色を付ける。
【図面の簡単な説明】
【図１】
0003185502.tif 000003
【符号の説明】
【図１】
0003185502.tif 000004
【手続補正書】
【提出日】平成25年6月3日(2013.6.3)
【手続補正１】
【補正対象書類名】実用新案登録請求の範囲
【補正対象項目名】全文
【補正方法】変更
【補正の内容】
【実用新案登録請求の範囲】
【請求項１】
透明なラップの側縁部に色をつけたことを特徴とする食品包装ラップ
【手続補正２】
【補正対象書類名】明細書
【補正対象項目名】全文
【補正方法】変更
【補正の内容】
【考案の詳細な説明】
【背景技術】  食品透明包装ラップの縁に色を付ける
【考案の概要】
目の不自由な人も高齢者の人も簡単に剥がせる
【考案が解決しようとする課題】  ラップを剥がすとき、簡単に終わりの部分がわかる
【課題を解決するための手段】  ラップの端に少し色を付ける
【考案の効果】  目の不自由な人も、高齢者の人も、簡単に剥がせる
【図面の簡単な説明】
【図１】  透明ラップを箱から取出した図面
(57)【要約】      （修正有）【課題】アルカリ濃縮液を少量（１００ｃｃ未満）のパウチ袋にいれることにより取扱いを容易にしたアルカリ洗浄剤を提供する。【解決手段】プラスティック樹脂等の素材で、頭部１に開封のための切り目２が入る。また開封口を小さくするため、シール３されたパウチ袋の開封口はビン口４になる。パウチ袋にはアルカリ濃縮液５が入っており、使用時に開封し、目盛りの入ったハンドガンスプレー等の別容器に入れ、水で所定量希釈し、使用する。【選択図】図１
0003185503.tif 000002
【実用新案登録請求の範囲】
【請求項１】
少量サイズ（１００ｃｃ未満）のパウチ袋等に入れたアルカリ濃縮液を目盛り入りハンドガンスプレー等に入れ、水で希釈して使用することを特徴とするアルカリ洗浄剤
【考案の詳細な説明】
【考案の詳細な説明】
【技術分野】
【０００１】本考案は、住居用洗浄剤などに使用するアルカリ洗浄剤に関するものである。
【背景技術】
【０００２】従来、住居用アルカリ洗剤を使用する際は、大量サイズ（１００ｃｃ以上）のパウチ袋やペットボトルに入ったアルカリ濃縮液所定量を専用容器に入れ、所定量の水で希釈し、適度なアルカリ濃度を有するアルカリ洗浄剤として利用していた。
【考案の開示】
【考案が解決しようとする課題】
【０００３】しかしながら、従来の技術では大量サイズ（１００ｃｃ以上）の容器に入ったアルカリ濃縮液を所定量正確に計量し、専用容器に所定量注ぐことは極めて難しかった。また年配などの力がない方にとって、２Ｌ等の大量サイズの容器に入ったアルカリ濃縮液を持ち上げることは難しい場合もあった。さらに大量サイズ（１００ｃｃ以上）に入ったアルカリ濃縮液を取り扱う際に、その取扱いが困難であるため、液が手肌に付着して肌荒れ等を起こす可能性もあった。
【課題を解決するための手段】
【０００４】本考案は、アルカリ濃縮液を少量（１００ｃｃ未満）のパウチ袋にいれることにより取扱いを容易にし、上記課題を解決するものである。
【考案の効果】
【０００５】請求項１の考案によれば、あらかじめ計量された所定量のアルカリ濃縮液を、少量（１００ｃｃ未満）のパウチ袋等に入れることにより、使用者はその全量を計量することなしに容易にハンドガンスプレー容器等に入れることが出来る。使用者は困難な計量を行う必要がなく、さらに重い濃縮液を持ち上げる必要もない。また少量（１００ｃｃ未満）のアルカリ濃縮液全量をハンドガンスプレー容器等に入れるので、計量間違いを犯すこともない。またハンドガンスプレー容器には、測量目盛が入っているので、アルカリ濃縮液を間違うことなく希釈することも容易である。
【考案を実施するための最良の形態】
【０００６】図面を参照して本考案の実施の形態を説明する。
プラスティック樹脂等の素材で、頭部（１）に開封のための切り目（２）が入る。また開封口を小さくするため、シール（３）されたパウチ袋の開封口はビン口（４）になる。パウチ袋にはアルカリ濃縮液（５）が入っており、使用時に開封し、目盛りの入ったハンドガンスプレー等の別容器に入れ、水で所定量希釈し、使用する。
【図面の簡単な説明】
【図１】パウチ袋の側面図である。
【符号の説明】      １  頭部
２  切り目
３  シール部分
４  ビン口
５  アルカリ濃縮液
【図１】
0003185503.tif 000003
(57)【要約】      （修正有）【課題】字形を整えるために、筆記具の持ち方を補助し、字形を整える筆記具装着器具を提供する。【解決手段】人差し指を入れるリングと筆記具軸に装着するリングで構成され筆記具自体に、リングを適正な位置に装着し、人差し指をやさしくリングに入れると、人差し指は、筆記具に隙間なくフィットすることで、正しい方向に筆記具が動くことを特徴とする。【選択図】図２
0003185501.tif 000002
【実用新案登録請求の範囲】
【請求項１】
筆記具にリングを装着し、リングに人差し指を入れると、人差し指と筆記具の間の隙間がなくなり、筆記具が動きやすく、正しく持つことができる筆記具装着器具。
【考案の詳細な説明】
【考案の開示】
【考案が解決しようとする課題】
【０００１】筆記具を正しく持つことは、字形を整えるためには重要なことだが大変難しい。特に筆記具と人差し指の間に隙間ができると、指先にも強く力が掛かるために書きづらく、筆記具の稼動範囲も狭くなる。
【課題を解決するための手段】
【０００２】筆記具の軸に、リングを装着する。人差し指を、リングに入れることで自然に人差し指が筆記具に密着でき、隙間もなくなり筆記具の稼動範囲が大きく、字形が整う正しい持ち方ができるようになる。
【考案の効果】
【０００３】正しい持ち方を身につけたい人は、筆記具軸に装着したリングに人差し指を入れると、筆記具が正しく大きく動く持ち方ができる。
【図面の簡単な説明】
【図１】筆記具に装着させるリングの平面図である。リングの大きさは、指の太さに合わせて何種類かを提供する。筆記具に装着するリングの位置は、装着器具を移動させることで、指の長さや筆記具の長さに対応できる。
【図２】筆記具を正しく持てるよう、リングを装着使用している立体図である。人差し指は筆記具との間にすき間を作らずにやさしく沿わすことができる。親指は、人差し指よりも高い位置にある。
【図１】
0003185501.tif 000003
【図２】
0003185501.tif 000004
【手続補正書】
【提出日】平成25年5月29日(2013.5.29)
【手続補正１】
【補正対象書類名】実用新案登録請求の範囲
【補正対象項目名】全文
【補正方法】変更
【補正の内容】
【実用新案登録請求の範囲】
【請求項１】
人差し指を入れるリングと筆記具軸に装着するリングからなる筆記具装着器具
(57)【要約】      （修正有）【課題】喫煙者自身で紙巻たばこを作成する「手巻きたばこ」の喫煙方法における喫煙具にすることができる手巻きたばこ専用喫煙パイプを提供する。【解決手段】金属（真鍮）製パイプの内径直径４ｍｍから６ｍｍかつたばこ差込差込口１−ａを約２０度から４５度程度のフレア形状に加工された全長約５０ｍｍから１００ｍｍ程度の貫通した形状を有する。喫煙時に保持する際に手が熱くならないように天然皮革（牛皮等）２を真鍮製パイプに巻き接着する。吸い口１−ｂ側にはシリコンチューブ３を装着した。【選択図】図１
0003185504.tif 000002
【実用新案登録請求の範囲】
【請求項１】
金属製パイプで製造された喫煙具における手巻きたばこ専用の喫煙パイプ
【考案の詳細な説明】
【技術分野】
【０００１】この考案は、喫煙具に関し喫煙者自身で紙巻たばこを作成する「手巻きたばこ」の喫煙方法における道具に関する。
【背景分野】
【０００２】従来は、手巻きたばこ専用パイプが存在しなかった。手巻きたばこの概念は、喫煙者自身で手巻きたばこ用ロール紙（平紙、巻紙）を使用し、刻（たばこ葉）を手で巻き形成し喫煙する喫煙方法であった。また手巻きたばこは喫煙者が巻く道具を使用あるいは巻く技術を習得し、両切りの状態で喫煙するか又は専用のフィルターをロール紙に一緒に巻き込み喫煙する方法が一般的であった。手巻きたばこを吸う喫煙専用パイプが存在しなかった背景にある。
【考案の概要】
【０００３】喫煙具における手巻きたばこ専用のパイプを製造し提供すること。
【考案が解決しようとする課題】
【０００４】手巻きたばこを喫煙者自身で巻き形成する際に円筒形または円錐形に巻く技術を必要としていたが、円筒形または円錐形状を必要とせず、ローリングマシン（手巻きたばこ専用巻き器）等も必要とせず、平たく巻いた場合でも手巻きタバコ専用パイプに挿入する際に自身で巻いた手巻きたばこを捻って挿入することにより、容易に手巻きたばこを喫煙すること。またパイプを使用することによりフィルターを必要とせずパイプの構造や形成物質により喫味が変化し濾過効果もあること。両切りたばこの欠点であった喫煙時に唇に紙が付着することを皆無にすること、熱から唇や手を守ることなどを喫煙時に提供することが課題である。
【課題を解決するための手段】
【０００５】手巻きたばこ専用の喫煙パイプの形成は、その素材や形状の如何にかかわらず自身で巻いた手巻きたばこを挿入可能な形状であれば形成製作可能であるが、その挿入差込口の口径の内径直径が約４ｍｍから６ｍｍ程度にする。手巻きタバコを捻って差し込みやすくする為に差込み口を約２０度から４５度程度のフレア形状に加工し、その全長は所持しやすい長さでかつ喫味をまろやかに変化させる為に約５０ｍｍから１００ｍｍ程度の不燃性の物質で金属素材を選択し貫通したパイプ形状で製作すること。また咥えた時に噛み心地と金属味を軽減するために無味で強度があるシリコンゴムチューブを吸い口に装着した。
【考案の効果】
【０００６】手巻きたばこ専用パイプを使用することにより手巻きたばこを喫煙者自身で巻く技術が容易になり、ローリングマシン等の道具を必要としない。丸く円筒形や円錐形に巻かなくても平たく形成しても捻って挿入し喫煙できる。たばこフィルターを必要としない。貫通した煙道がウッドパイプのようなまろやかな喫味を演出する。手巻きたばこを手で保持することなく喫煙する為手や唇が熱くならない。手巻きたばこの喫煙方法が増え広く応用できる。
【図面の簡単な説明】
【０００７】
【図１】「手巻きたばこ専用パイプを示した平面図である」
【図２】「手巻きたばこ専用パイプを示した断面図である」
【考案を実施するための形態】
【０００８】この考案は、手巻きたばこを容易に喫煙する構造と喫味を変化させるため製作形成される不燃性素材で真鍮を使用し、喫煙時に保持する際に手が熱くならないように天然皮革（牛皮等）を真鍮パイプに巻き接着する。吸い口側にはシリコンチューブを装着した。
【実施例】
【０００９】［図１］１−ａ（フレア加工側）より自身で巻いた手巻きタバコを捻って挿入し喫煙する。
【産業上の利用可能性】
【００１０】手巻きたばこを使用する喫煙者による利用が考えられる。
【符号の説明】
【００１１】１）真鍮製パイプ  全長約７５ｍｍ  外径６ｍｍ  内径５ｍｍ  肉厚０．５ｍｍ
１−ａ  側  手巻きたばこ差込み挿入口  フレア加工４５度開口  外形約７ｍｍ
１−ｂ  側  吸い口
２）天然皮革（牛皮等）を接着巻き  幅約５０ｍｍ  厚さ約０．７ｍｍ  外周約２２ｍｍ
３）吸い口側にシリコンチューブ（長さ約１０ｍｍ  外径７ｍｍ  内径５ｍｍ）装着
【図１】
0003185504.tif 000003
【図２】
0003185504.tif 000004
【手続補正書】
【提出日】平成25年6月7日(2013.6.7)
【手続補正１】
【補正対象書類名】実用新案登録請求の範囲
【補正対象項目名】全文
【補正方法】変更
【補正の内容】
【実用新案登録請求の範囲】
【請求項１】
金属製パイプの内径直径４ｍｍから６ｍｍかつタバコ挿入差込口を約２０度から４５度程度のフレア形状に加工された全長約５０ｍｍから１００ｍｍ程度の貫通した形状を有する手巻きタバコ専用の喫煙パイプ
(57)【要約】      （修正有）【課題】脚部や腰・股・腹筋も鍛える事やウエストや臀部を引き締める事が出来・ヒップアップ効果も奏することが出来る、鍛錬の出来るマシンを提供する。さらには仰臥姿勢で訓練できる装置を提供する。【解決手段】汎用のエアロバイクマシンを基本マシンとして活用し、これに前記仰臥台座１と基本マシンの後部に合体する。さらに、仰臥台座１の前端に固定された連接金具３の半円形を基本マシンの後基部のベースパイプ４に外嵌すると分離可能に接合する。【選択図】図３
0003185542.tif 000002
【実用新案登録請求の範囲】
【請求項１】
ペダル漕ぎ式のエアロバイクマシンを仰臥姿勢で使用するためのエアロバイクマシンの仰臥台座において、前記仰臥台座は、仰臥姿勢で上半身を支持する略長方形の寝板と、
該寝板の両側部に垂直方向に立ち上げた一対のグリップと、該寝板の一端部に設けた前記エアロバイクマシンの脚部と連結する連接金具を設けたことを特徴とするエアロバイクマシンの仰臥台座。
【請求項２】
前記寝板の下面の幅方向中央部に寝板の長さ方向に延びる円柱を設けて、前記仰臥台座を揺動運動可能とすることを特徴とする請求項１記載のエアロバイクマシンの仰臥台座。
【考案の詳細な説明】
【技術分野】
【０００１】
本考案は身体の体力増強をはかるため仰臥姿勢でペダルを漕ぐエアロバイクマシンの仰臥台座に関する。
【背景技術】
【０００２】
手軽に運動を行う為のエアロバイクマシンでマグネット式の負荷装置を組み込んだトレーニングの内容に応じてペダルの負荷を設定し所定の時間運動することにより運動効果をうるものである。
【０００３】
ところで上記した従来のエアロバイクマシンは脚部の筋力強化が計られても腹筋や臀部を引き締めることは出来なかった。
【先行技術文献】
【非特許文献】
【０００４】
【非特許文献１】アルインコ社総合カタログのバイクマシンのＡＦＢ５２１２
【考案の概要】
【考案が解決しようとする課題】
【０００５】
解決しようとする問題点は腹筋を鍛えてウエストや臀部を引き締める事が出来なかった点である。
【課題を解決するための手段】
【０００６】
本考案は上記問題点を解決したものでその特長は汎用のエアロバイクマシンを基本マシン２として活用しこれに前記、仰臥台座１と基本マシン２の後部に合体する。
【０００７】
仰臥台座１の前端に固定された連接金具３の半円形を基本マシン２の後基部のベースパイプ４に外嵌すると分離可能に接合する。
【考案の効果】
【０００８】
静止型の仰臥台座に仰向けになってペダルを漕ぐと従来と異なる腹直筋と腹斜筋に負荷が掛かってこれらの筋肉が鍛えられ贅肉をシェイプアップ出来る。
【０００９】
第２の実施例は揺動型(ローリング)で仰臥台座１の正面に示される枕角材６の凹み６′が図６の様に直線状に所定間隔で整列している仰臥台座１の裏面に概略斜視図７の様に付着させる図５のバックボーン筋８は円形の断面の弾性樹脂材で成型されていて前記仰臥台座１にバックボーン筋８を図７の様に付着させた姿を裏からの概略斜視図で示す。
図８は前記の仰臥台座１を床に対して所定の角度を以って傾く図４に示す様にペダル漕ぎ運動すると揺動が同調し脚が伸びたペダルの反対側に傾き図８の様に仰臥台座１が床面に当たる、故に、ペダルを漕ぐと交互に傾斜し全身運動の実感が満喫出来る・故にシェイプアップが更に強化できる利点となる。
【図面の簡単な説明】
【００１０】
【図１】本考案の実施例に係る仰臥台座１の概略斜視図である。
【図２】仰臥台座の後部の正面図である。
【図３】基本マシンと仰臥台座が合体した斜視図である。
【図４】図３の使用状態を示す概略斜視図である
【図５】バックボーン筋を示す概略斜視図である
【図６】仰臥台座を裏からの概略斜視図である
【図７】仰臥台座にバックボーン筋を付着した状態の概略斜視図である
【図８】仰臥台座が床で傾斜した動作図である
【考案を実施するための形態】
【００１１】
本考案は脚部、腰部は無論の事、腹筋も鍛える事が出来る、ウエストや臀部を引き締める事が出来、ヒップアップ効果も奏する、仰臥姿勢での自転車漕ぎタイプのエアロバイクマシンを提供する。
Ａ汎用マシンのペダル漕ぎ式を基本マシンとして活用する。B仰臥台座を基本マシンと合体した構成である。前記仰臥台座は寝板の下に枕角材(中央部下向きに凹みを有し、凹み面に接着剤が塗布されている)が固着されているそして両側部には１対のグリップが固設されている。尚、前記仰臥台座と基本マシンは分離可能に連結した構成を特徴とする                エアロバイクマシン。
前記仰臥台座の標準は静止型で２点目は揺動型(ローリング)でバックボーン筋として円形の断面で弾性体の樹脂で形成された部品を前記仰臥台座の凹み部に付設し・床面にセットすると仰臥台座は所定の角度を以って揺動運動する事を特徴とする。
【実施例１】
【００１２】
第１の実施例において以下、本考案の例を図面に基づき説明するとペダル漕ぎ式の基本マシン２のエアロバイクマシンと仰臥台座１が合体した装置で標準とし静止型とする。
【００１３】
仰臥台座１は寝板５の下に固着された枕角材６で構成され図１には第１の実施例に係る仰臥台座１の概略斜視図が示され寝板５の前端部に２個の連接金具３(先端が半円形)が固定されている、また、両側部には１対のグリップが固設されている。図２は、その正面図が示されている。
【００１４】
基本マシン２と仰臥台座１と合体されているので使用者は仰臥の体勢でペダル漕ぎをする。
【００１５】
基本マシン２には体力評価機能がついているのでグリップ７にセンサーが付いていて握って運動すると心拍数が測定でき効果的な運動をサポートしてくれる。
【００１６】
上記の様に構成された実施例によれば図３及び図４に示す様に仰臥台座１及び基本マシン２の合体を使用者が下記の様な運動を行える、使用者は仰臥の体勢と同時にペダルに足を掛けペダル漕ぎ運動をおこなうのである。
【産業上の利用可能性】
【００１７】
仰臥台座の構造が単純で安価に製作出来るので汎用エアロバイクとのトータルシステムで有り健康増進に貢献大である。
【符号の説明】
【００１８】
１    仰臥台座
２    基本マシン
３    連接金具
４    ベースパイプB
５    寝板
６    枕角材
６´  枕角材の凹み部
７    グリップ
８    バックボーン筋（円柱）
【図１】
0003185542.tif 000003
【図２】
0003185542.tif 000004
【図３】
0003185542.tif 000005
【図４】
0003185542.tif 000006
【図５】
0003185542.tif 000007
【図６】
0003185542.tif 000008
【図７】
0003185542.tif 000009
【図８】
0003185542.tif 000010
(57)【要約】【課題】杭打ち時の抵抗が少なくて、地盤に打ち込み易いとともに、杭側面と地盤との間に働く周面摩擦力に優れた杭の提供。【解決手段】杭Ａは、先端部が先細のテーパー状に形成され、先端に円錐状の尖状体１２を嵌着し、後端にキャップを固着した円筒体１と、円筒体１の先端部の外周に溶接される弦巻状のスパイラル２とを備える。円筒体１の先端部１１が先細のテーパー状に形成されているので、杭Ａを地盤に貫入させる際の抵抗が少なく、杭Ａを地盤に貫入させ易い。また、回転式の杭打機を使用するので、低騒音で、且つ低振動である。【選択図】図１
0003185550.tif 000002
【実用新案登録請求の範囲】
【請求項１】
先端部が先細のテーパー状に形成され、先端に円錐状の尖状体を嵌着し、後端にキャップを固着した円筒体と、
該円筒体の前記先端部の外周に溶接される弦巻状のスパイラルとを備えた杭。
【請求項２】
前記スパイラルは、断面が長方形であることを特徴とする請求項１記載の杭。
【考案の詳細な説明】
【技術分野】
【０００１】
本考案は、杭に関する。
【背景技術】
【０００２】
特許文献１には、先端側をテーパ状に形成した杭が開示されている。
特許文献２には、杭体外周面に袋体を巻着した杭材が開示されている。
特許文献３には、鋼管の先端部に羽根を設けた鋼管杭が開示されている。
【先行技術文献】
【特許文献】
【０００３】
【特許文献１】実開平７−４２８０５号公報
【特許文献２】特開２００７−２６２８１１号公報
【特許文献３】特開２００１−３３５７号公報
【考案の概要】
【考案が解決しようとする課題】
【０００４】
上記特許文献１は、下記の課題を有する。
先端側がテーパ状に形成されているので、杭打ち時の抵抗が少なく、打ち込み易いと記載が有るが、打ち込む地盤によっては、打ち込みに大きな力が必要だったり、地盤に垂直に打ち込めないことがある。
【０００５】
上記特許文献２は、下記の課題を有する。
杭材を土中に設置する際（袋体に固化材を未注入）の圧入抵抗が小さいので、容易かつ正確に設置できると記載が有るが、中堀り工法等で杭材を設置するための竪穴を開けておく必要がある。
【０００６】
上記特許文献３は、下記の課題を有する。
鋼管杭を地盤に貫入する際、効率的に行えると記載があるが、羽根が穴径を大きくしてガタ付くので、貫入後、穴内部にコンクリートを充填する必要がある。
【０００７】
本考案の目的は、杭打ち時の抵抗が少なくて、地盤に打ち込み易いとともに、杭側面と地盤との間に働く周面摩擦力に優れた杭の提供にある。
【課題を解決するための手段】
【０００８】
（請求項１について）
杭は、先端部が先細のテーパー状に形成される円筒体と、この円柱体の先端部の外周に溶接される弦巻状のスパイラルとを備える。
円筒体は、先端の開口に円錐状の尖状体を嵌着し、後端の開口にキャップを固着している。
円柱体の先端部の外周に弦巻状のスパイラルを溶接している。
杭の先端を地表に当接して杭を回転させると、弦巻状のスパイラルにより、下向きの推進力が得られ、杭が地盤に貫入していく。
【０００９】
円筒体の先端部が先細のテーパー状に形成されているので、杭を地盤に貫入させる際の抵抗が少なく、杭を貫入させ易い。また、低騒音で、且つ低振動である。
円筒体の先端部以外は等径であるのと、弦巻状のスパイラルとにより、杭を地盤に貫入させた後は、杭側面と地盤との間に働く周面摩擦力が大きい。
【００１０】
杭は、円筒体の先端部の先端の開口に、円錐状の尖状体を設けている。
このため、杭を地盤に貫入させる際に、位置ズレや傾きを防止でき、杭が地盤に円滑に貫入していく。
【００１１】
杭は、中空の円筒体を採用しているので、強度低下を招くことなく、材料代や重量を低減できる。また、後端の開口にキャップを固着しているので、土砂や雨水が円筒体内に侵入しない。
【００１２】
（請求項２について）
弦巻状のスパイラルは、断面が長方形であるので、杭を回転させると、下向きの大きな推進力が得られ、杭が地盤に円滑に貫入していく。
【図面の簡単な説明】
【００１３】
【図１】本考案の実施例１に係る杭の説明図である。
【実施例１】
【００１４】
本考案の実施例１（請求項１〜３に対応）にかかる杭Ａを図１に基づいて説明する。
杭Ａは、円筒体１の先端部１１の外周に弦巻状のスパイラル２を溶接し、溶接部分を含む表面には亜鉛メッキが施されている。
【００１５】
円筒体１は、鋼で形成され、直径が約４３ｍｍ、長さが１．２５ｍである。なお、円筒体１の直径は２７ｍｍ〜６１ｍｍ、長さが６０ｃｍ〜４ｍの範囲が杭として好適である。  この円筒体１は、先端の約１／４の先端部１１が、スエージング加工により先細のテーパー状に形成され、先端部１１以外は等径とされている。
【００１６】
円筒体１は、先端部１１の先端開口に、円錐状の尖状体１２（ハガネ材）を固着している。また、円筒体１の後端開口には、鋼製のキャップが嵌着されている。
断面が長方形のスパイラル２は、鋼で形成され、先端部１１を包囲するテーパー状である。
【００１７】
以下の様にして杭Ａを地盤に打ち込む。
杭Ａの後端を回転式杭打機に挟持させ、杭Ａの先端を地表に当接させた状態で、回転式杭打機を作動させ、杭Ａを回転させながら下方へ押圧する。
【００１８】
弦巻状のスパイラル２により、下向きの推進力が杭Ａに加わり、杭Ａが地盤に貫入していく。
所定の深さまで杭Ａが地盤に貫入した時点で、回転式杭打機の作動を停止し、杭Ａから回転式杭打機を取り外す。
【００１９】
杭Ａは、以下の利点を有する。
円筒体１の先端部１１が先細のテーパー状に形成されているので、杭Ａを地盤に貫入させる際の抵抗が少なく、杭Ａを地盤に貫入させ易い。また、回転式の杭打機を使用するので、低騒音で、且つ低振動である。
【００２０】
円筒体１の先端部１１以外は等径であるのと、弦巻状のスパイラル２とにより、杭Ａを地盤に貫入させた後は、杭側面と地盤との間に働く周面摩擦力が大きい。このため、杭Ａが抜けたり、倒れたりし難い。
【００２１】
杭Ａは、円筒体１の先端部１１の先端の開口に、円錐状の尖状体１２を設けている。このため、杭Ａを地盤に貫入させる際に、位置ズレや傾きを防止でき、杭Ａが地盤に円滑に貫入していく。
【００２２】
杭Ａは、中空の円筒体１を採用しているので、強度低下を招くことなく、材料代や重量を低減できる。また、後端の開口にキャップを固着しているので、土砂や雨水が円筒体内に侵入しない。
【００２３】
弦巻状のスパイラル２は、断面が長方形であるので、杭Ａを回転させると、下向きの大きな推進力が得られ、杭Ａが地盤に円滑に貫入していく。
【産業上の利用可能性】
【００２４】
杭は、円筒体の先端部の外周に弦巻状のスパイラルを溶接しているので、回転式の杭打機で杭打ちする際の抵抗が少なく、地盤に打ち込み易い。また、杭Ａを地盤に貫入させた後は、杭側面と地盤との間に働く周面摩擦力を大きくできる。
【符号の説明】
【００２５】
Ａ  杭
１  円筒体
２  スパイラル
１１  先端部
１２  尖状体
【図１】
0003185550.tif 000003
(57)【要約】      （修正有）【課題】片手の平に添えて米を押さえるだけで十分に水切りが可能な米研ぎ用水切り具を提供する。【解決手段】円形シリコン製シートに、円周に沿った部分が主となるように排水用の穴を複数個設ける。排水用の穴は直径２ｍｍであり、米の流出は妨げるが、水の排出は十分に行える大きさである。釜に着脱する手間が無く、片手の平に添えて米を押さえるという単純な動作で米研ぎの水切りが可能である。【選択図】図１
0003185519.tif 000002
【実用新案登録請求の範囲】
【請求項１】
円形シートに排水用の穴が複数個開いており、米研ぎ時に片手の平に添えて米を押さえて水切りが可能な用具である。
【請求項２】
前記用具は、ガラス瓶の蓋開け、煮物調理時の落し蓋、加熱鍋の鍋敷きとしても使用可能である。
【考案の詳細な説明】
【技術分野】
【０００１】
本考案は、米研ぎ時に効率良く水切りが可能であり、且つガラス瓶の蓋開け、煮物調理時の落し蓋、加熱鍋の鍋敷きとしても利用可能な用具に関するものである。
【背景技術】
【０００２】
従来は炊飯器内釜で米研ぎを行う場合に手の平で押さえながら排水を行うと、米の流出が伴い、十分な水切りが出来なかった。
【０００３】
そこで、網状の器具を釜の端部に取り付けて排水を行う方法が、一般的な解決策であった。
【先行技術文献】
【特許文献】
【０００４】
【特許文献１】特許４４８５８８１
【特許文献２】特開２００６−０６８２６８
【特許文献３】特開２００１−１９０４０３
【特許文献４】特開２０００−０９３３３０
【特許文献５】特開平１１−２９０２２６
【特許文献６】特開平０７−２１３４２９
【特許文献７】特開平０５−１５４０６１
【特許文献８】実登３０１９７０８
【特許文献９】実開平０５−０６８４４３
【特許文献１０】実開昭６３−０９１２４１
【考案の概要】
【考案が解決しようとする課題】
【０００５】
しかしながら、以上の方法では釜に器具を取り付ける煩わしさと、その器具を他の用途に使用出来ない不便さが生じていた。
【課題を解決するための手段】
【０００６】
以上の課題を解決するために、第一考案は手の平に添えて押さえるだけで米の流出を防ぎ、米研ぎの水切りが可能な用具である。
【０００７】
また、第二考案はその形状と材質により、米研ぎ時の水切りのみならず、ガラス瓶の蓋開け、煮物調理時の落し蓋、加熱鍋の鍋敷きとしても利用可能な用具である。
【考案の効果】
【０００８】
第一考案により、釜に取り付ける手間が無く、簡単な動作で米研ぎの水切りが可能である。
【０００９】
第二考案により、米研ぎの水切り以外の用途にも使用が可能であり、大変便利である。
【図面の簡単な説明】
【００１０】
【図１】本考案本体を示す正面図である。
【図２】本考案本体を示す斜視図である。
【図３】本考案の一実施形態を示す斜視図である。
【図４】本考案の一実施形態を示す斜視図である。
【図５】本考案の一実施形態を示す斜視図である。
【図６】本考案の一実施形態を示す斜視図である。
【考案を実施するための形態】
【００１１】
本考案を実施するための形態を、図１及び図２に示す。
【００１２】
厚さ１．５ｍｍ〜２ｍｍの円形シリコン製シートに、円周に沿った部分が主となるように排水用の穴が複数個開いている。
【００１３】
シリコン製シートは片手で持って容易に曲がる硬度のものであり、耐熱性に富んでいる。
【００１４】
排水用の穴は直径２ｍｍであり、米の流出は妨げるが、水の排出は十分に行える大きさである。
【実施例】
【００１５】
図３は米研ぎの水切りに用いた実施例である。水に浸かった米に対して本体を片手の平で押さえながら、釜を傾けて水切りを行い、米の流出を防いで十分な排水が可能である。
【００１６】
図４はガラス瓶の蓋開けに用いた実施例である。
【００１７】
図５は煮物調理時の落し蓋に用いた実施例である。
【００１８】
図６は加熱鍋の鍋敷きに用いた実施例である。
【符号の説明】
【００１９】
１  本考案本体
２  炊飯器内釜
３  蓋
４  ガラス瓶
５  煮物調理中の鍋
６  加熱した鍋
【図１】
0003185519.tif 000003
【図２】
0003185519.tif 000004
【図３】
0003185519.tif 000005
【図４】
0003185519.tif 000006
【図５】
0003185519.tif 000007
【図６】
0003185519.tif 000008
【手続補正書】
【提出日】平成25年6月19日(2013.6.19)
【手続補正１】
【補正対象書類名】実用新案登録請求の範囲
【補正対象項目名】全文
【補正方法】変更
【補正の内容】
【実用新案登録請求の範囲】
【請求項１】
片手の平に添えて米を押さえて水切りが出来るように、円形シートに排水用の穴を複数個設けたことを特徴とする米研ぎ用水切り具。
【手続補正２】
【補正対象書類名】明細書
【補正対象項目名】０００１
【補正方法】変更
【補正の内容】
【０００１】
本考案は、米研ぎ時に単純な動作で効率良く水切りが可能である用具に関するものである。
【手続補正３】
【補正対象書類名】明細書
【補正対象項目名】０００５
【補正方法】変更
【補正の内容】
【０００５】
しかしながら、以上の方法では米研ぎの度に釜に器具を着脱しなければならない煩わしさが生じていた。そこで、本考案は片手の平に添えて米を押さえるだけで十分に水切りが可能な用具の提供を目的とする。
【手続補正４】
【補正対象書類名】明細書
【補正対象項目名】０００６
【補正方法】変更
【補正の内容】
【０００６】
以上の課題を解決するために、本考案は円形シートに排水用の穴を複数個設けたことを特徴とする米研ぎ用水切り具である。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
本考案により、釜に着脱する手間が無く、片手の平に添えて米を押さえるという単純な動作で米研ぎの水切りが可能である。
【手続補正７】
【補正対象書類名】明細書
【補正対象項目名】０００９
【補正方法】変更
【補正の内容】
【０００９】
また、本考案本体の形状と材質により、米研ぎ時の水切りのみならず、ガラス瓶の蓋開け、煮物調理事時の落し蓋、加熱鍋の鍋敷きとしても利用可能で、大変便利である。